(57)【要約】【課題】比較的簡単な構成で歩行動作を詳細に分析できる歩行状態表示装置を提供する。【解決手段】歩行者の身体の所定の部位に装着される複数のマーク２と、歩行者に装着されている各マーク２を含む光像を繰り返し撮像する撮像部３と、撮影画像ごとにマーク２を抽出する抽出部４１と、撮影画像ごとに抽出された各マーク２の位置を予め定められた共通の座標系の座標で表す座標設定部４２と、各マーク２の座標を用いて、予め定められた、歩行動作を表すためのパラメータについてのパラメータ値を撮影画像ごとに算出する算出部４３と、前記パラメータについて予め設定された条件に基づき歩行周期を複数の歩行相に分割した場合に、各撮影画像と歩行相との対応関係を当該撮影画像について算出されたパラメータ値に基づき検出し、該検出結果を用い各撮影画像を歩行相毎に区分する区分部５と、各撮影画像を区分部５の区分結果を利用して表示する表示部６とを備えた。【選択図】図１
2010172394.tif 000002
【特許請求の範囲】
【請求項１】
歩行者の身体のうち予め定められた部位に装着される１又は複数のマークと、
歩行者に装着されているマークを含む光像を一定の光軸方向及び撮像範囲で繰り返し撮像し、複数の撮影画像を生成する撮像部と、
前記撮影画像ごとに前記マークをそれぞれ抽出する抽出部と、
前記抽出部により抽出された各マークの位置を予め定められた共通の座標系の座標で表す座標設定部と、
前記座標設定部により設定された各マークについての座標を用いて、予め定められた、歩行動作を表すための歩行パラメータについてのパラメータ値を撮影画像ごとに算出する算出部と、
前記各撮像画像が、予め定められた条件に基づいて複数に分割された歩行相のどの歩行相の歩行動作を撮像したものであるかを、前記パラメータ値に基づいてそれぞれ検出し、該検出結果を用いて前記各撮像画像を歩行相ごとに区分する区分部と、
前記各撮影画像を前記区分部による区分結果を利用して表示する表示部と
を備える歩行状態表示装置。
【請求項２】
前記区分部は、一方の足の踵が歩行面に着地してからその踵が次に前記歩行面に着地するまでの期間を１単位とする前記歩行者の歩行周期を設定し且つその１歩行周期を前記歩行パラメータについて予め定められた条件に基づいて複数の歩行相に分割した場合に、前記各撮影画像がどの歩行相の歩行動作を撮像したものであるかを、当該撮影画像について算出されたパラメータ値に基づいてそれぞれ検出し、該検出結果を用いて前記各撮影画像を歩行相ごとに区分するものである請求項１に記載の歩行状態表示装置。
【請求項３】
前記予め定められた部位は、前記歩行者の外果を含み、
前記座標系は、前記歩行者の歩行方向に延びる軸を座標軸として持つものであり、
前記複数の歩行相は、時間的に連続して得られた２つの撮影画像の前記外果に装着された各マークに着目した場合に、前記各マークの前記歩行方向における各座標同士の差分が１歩行周期内で最初に所定範囲内となる歩行相である初期接地を含む請求項１又は２に記載の歩行状態表示装置。
【請求項４】
前記予め定められた部位は、前記歩行者の外果及び爪先を含み、
前記座標系は、鉛直方向に延びる軸を座標軸として持つものであり、
前記複数の歩行相は、同一の撮影画像の前記外果に装着されたマークと前記爪先に装着されたマークとについての前記鉛直方向における各座標同士の差分が１歩行周期内で最初に所定範囲内となる荷重応答期を含む請求項１又は２に記載の歩行状態表示装置。
【請求項５】
前記予め定められた部位は、前記歩行者の大転子及び膝を含み、
前記座標系は、前記歩行者の歩行方向に延びる軸を座標軸として持つものであり、
前記複数の歩行相は、同一の撮影画像の前記大転子に装着されたマークと前記膝に装着されたマークとについての前記歩行方向における各座標同士の差分が１歩行周期内で零となる立脚中期を含む請求項１又は２に記載の歩行状態表示装置。
【請求項６】
前記予め定められた部位は、前記歩行者の大転子及び膝を含み、
前記座標系は、前記歩行者の歩行方向に延びる軸を座標軸として持つものであり、
前記複数の歩行相は、同一の撮影画像の前記大転子に装着されたマークと前記膝に装着されたマークとについての前記歩行方向における各座標同士との差分が１歩行周期内で最大となる立脚終期を含む請求項１又は２に記載の歩行状態表示装置。
【請求項７】
前記予め定められた部位は、前記歩行者の膝、外果及び爪先を含み、
前記複数の歩行相は、同一の撮影画像において、前記外果に装着されたマークと前記爪先に装着されたマークとを結ぶ線分と、前記外果に装着されたマークと前記膝に装着されたマークとを結ぶ線分とを設定した場合に、それらの線分の交差角度である足関節角度が１歩行周期内で最大となる前遊脚期を含む請求項１又は２に記載の歩行状態表示装置。
【請求項８】
前記予め定められた部位は、前記歩行者の大転子、膝及び外果を含み、
前記複数の歩行相は、同一の撮影画像において、前記膝に装着されたマークと前記外果に装着されたマークとを結ぶ線分と、前記膝に装着されたマークと前記大転子に装着されたマークとを結ぶ線分とを設定した場合に、それらの線分の交差角度である膝関節角度が１歩行周期内で最小となる遊脚初期を含む請求項１又は２に記載の歩行状態表示装置。
【請求項９】
前記予め定められた部位は、前記歩行者の肩峰、大転子及び膝を含み、
前記複数の歩行相は、同一の撮影画像において、前記大転子に装着されたマークと前記膝に装着されたマークとを結ぶ線分と、前記大転子に装着されたマークと前記肩峰に装着されたマークとを結ぶ線分とを設定した場合に、それらの線分の交差角度である股関節角度が１歩行周期内で最小となる遊脚中期を含む請求項１又は２に記載の歩行状態表示装置。
【請求項１０】
前記予め定められた部位は、前記歩行者の大転子及び外果を含み、
前記座標系は、前記歩行者の歩行方向に延びる軸を座標軸として持つものであり、
前記複数の歩行相は、同一の撮影画像の前記大転子に装着されたマークと前記外果に装着されたマークとについての前記歩行方向における各座標同士の差分が１歩行周期内で最大となる遊脚終期を含む請求項１又は２に記載の歩行状態表示装置。
【請求項１１】
前記表示部に表示させる対象の撮影画像を前記歩行相ごとに選択する入力を行うための第１入力操作部を更に備え、
前記表示部は、前記第１入力操作部により選択された歩行相の撮影画像を表示する請求項１乃至１０の何れかに記載の歩行状態表示装置。
【請求項１２】
前記歩行相ごとに予め設けられた、理想のパラメータ値を有する理想画像を記憶する理想画像記憶部を更に備え、
前記表示部は、更に、前記撮影画像と、該撮影画像と歩行相が一致する理想画像とを併せて表示する機能を有する請求項１乃至１１の何れかに記載の歩行状態表示装置。
【請求項１３】
年齢と歩行相との組み合わせに基づいて予め設定された、前記歩行パラメータについての標準値を記憶する標準値記憶部を更に備え、
前記表示部は、更に、前記算出部により導出されたパラメータ値と前記標準値とをグラフで表示する機能を有する請求項１乃至１２の何れかに記載の歩行状態表示装置。
【請求項１４】
前記表示部に表示されている撮影画像の中から１枚の撮影画像を選択する入力を行うための第２入力操作部を更に備え、
前記表示部は、更に、前記第２入力操作部により１枚の撮影画像が選択されると、その撮影画像の撮影タイミングを含む一定期間内の撮像動作で得られた複数の撮影画像を同一画面に表示する機能を有する請求項１乃至１３の何れかに記載の歩行状態表示装置。
【発明の詳細な説明】
【技術分野】
【０００１】
本発明は、歩行者の歩行状態を表示するための装置に関する。
【背景技術】
【０００２】
近年、歩行者の歩き方を、リハビリとしての適正な歩き方やエクササイズ効果を高められる歩き方、或いは姿勢の良い綺麗な歩き方等に改善させることを目的として、歩行者の歩行状態を測定・検査する装置が種々提案されている（例えば下記特許文献１，２）。
【０００３】
下記特許文献１には、「左側検出手段７は訓練者２の左足の着地及び離地、又は着地もしくは離地のいずれかを検出し、右側検出手段８は訓練者２の右足の着地及び離地、又は着地もしくは離地のいずれかを検出する。撮影・測定手段としての人体側センサ部９が訓練者２の身体に取り付けられ・・・（中略）・・・、この人体側センサ部９には、加速度センサやジャイロ等が内蔵されている。撮影・測定手段としての左側センサ部１０は左側歩行面３に加わる力を検出するフォースプレート等を内蔵しており、右側センサ部１１は右側歩行面４に加わる力を検出するフォースプレート等を内蔵している（［００１５］）」、「制御手段１３は、・・・（中略）・・・訓練者２の左足・・・（中略）・・・又は・・・（中略）・・・右足の着地及び離地、又は着地もしくは離地のいずれかの信号に基づいて、歩行周期や左右の足の立脚期間及び遊脚期間等を測定する。さらに、・・・（中略）・・・制御手段１３には、・・・（中略）・・・測定した姿勢や床反力等の測定データ、並びに駆動手段５で検出した左右の環状ベルトを駆動するモータのトルクや左右の環状ベルトの移動速度等のデータが入力され、これらデータは制御手段１３から記憶手段１５に出力される。さらに、制御手段１３は・・・（中略）・・・記憶手段１５に記憶された画像及び測定データを加工して表示手段１６に出力する（［００１６］）」，「右足の１歩行周期での着地時、立脚期１（立脚期間の２０％経過後）、立脚期２（立脚期間の４０％経過後）、立脚期３（立脚期間の８０％経過後）及び離地の５つの画像を重畳して表示している。これにより１歩行周期での訓練者２の歩行状態の変化を側面から観測することができる（［００２４］）」と記載されている。
【０００４】
下記特許文献２には、「歩行動作解析に際して移動軌跡を算出するために撮影対象者２８にマーカを取り付ける必要がある場合には、必要に応じて予め定められた部位に図示しないマーカを取り付けておく。オペレータにより入力部２６に動画取り込みの指示が入ったら、撮影手段１２によって撮影された動画像は画像取込み部１４に転送され、そこでデジタル符号化されて記憶部１６に動画像として格納される。それと同時に予め記憶部１６に設けてあるデータベース内に、取り込んだ動画像のファイル名や撮影日の等の情報が書き込まれる（［００２１］）」，「撮影対象者２８に計測点を示すマーカが取り付けられている場合には、前記動画像のデータからマーカの部分を抽出して各々のマーカの面積重心を求め、そしてその求めた面積重心点をマーカの計測点とする。前記マーカの計測点を、撮影した各々のフレームに於いて算出（［００２６］）」と記載されている。
【先行技術文献】
【特許文献】
【０００５】
【特許文献１】特開２００２−３０６６２８号公報
【特許文献２】特開２００１−４２０号公報
【発明の概要】
【発明が解決しようとする課題】
【０００６】
通常の人間の歩行動作は、歩行姿勢が周期的に変化するが、その歩行動作における１歩行周期（一方の足の踵が歩行面に着地してからその踵が次に前記歩行面に着地するまでの期間を１単位とする周期）は、鉛直方向における外果の位置の変化態様や股関節角度等の、歩行動作を表す（表現する）ための複数種類の歩行パラメータを設定した場合、いずれかの歩行パラメータにおいて特徴的なパラメータ値をもつ複数の区間にそれぞれ分割することができる。
【０００７】
ここで、それらの区間ごとに、歩行者の歩行動作についての良否等を判断することができれば、好ましい歩き方との相違点の把握や詳細な歩き方の改善指導をより詳細に行うことができると考えられる。
【０００８】
しかしながら、前記特許文献２においては、歩行者の歩行動作を前述した複数の区間に分割する点については提案されていない。また、前記特許文献１には、「右足の１歩行周期での着地時、立脚期１（立脚期間の２０％経過後）、立脚期２（立脚期間の４０％経過後）、立脚期３（立脚期間の８０％経過後）及び離地の５つの画像を重畳して表示している。」と記載されているが、歩行者の歩行動作を検出するために、各種の検出手段やセンサ部（左側検出手段７、右側検出手段８、人体側センサ部９、左側センサ部１０及び右側センサ部１１）が必要であり、その分、装置が大規模化したり多大なコストを要したりする。
【０００９】
本発明は、上述した問題点を解決するためになされたものであり、比較的簡単な構成で歩行者の歩行動作を詳細に計測及び分析することのできる歩行状態表示装置を提供することを目的とする。
【課題を解決するための手段】
【００１０】
請求項１に記載の発明は、歩行者の身体のうち予め定められた部位に装着される１又は複数のマークと、歩行者に装着されているマークを含む光像を一定の光軸方向及び撮像範囲で繰り返し撮像し、複数の撮影画像を生成する撮像部と、前記撮影画像ごとに前記マークをそれぞれ抽出する抽出部と、前記抽出部により抽出された各マークの位置を予め定められた共通の座標系の座標で表す座標設定部と、前記座標設定部により設定された各マークについての座標を用いて、予め定められた、歩行動作を表すための歩行パラメータについてのパラメータ値を撮影画像ごとに算出する算出部と、前記各撮像画像が、予め定められた条件に基づいて複数に分割された歩行相のどの歩行相の歩行動作を撮像したものであるかを、前記パラメータ値に基づいてそれぞれ検出し、該検出結果を用いて前記各撮像画像を歩行相ごとに区分する区分部と、前記各撮影画像を前記区分部による区分結果を利用して表示する表示部とを備える歩行状態表示装置である。
【００１１】
この発明によれば、各撮影画像がどの歩行相の歩行動作（歩行姿勢）を撮像したものであるかを前記パラメータ値に基づいてそれぞれ検出し、該検出結果を用いて前記各撮影画像を歩行相ごとに区分し、前記各撮影画像をその区分結果を利用して表示部に表示するようにしたので、例えば歩行相ごとに画像を表示するようにすることで、歩行者の歩行動作を詳細に分析することができる。
【００１２】
また、本発明によれば、撮影画像から得られるマークの位置に基づいて、歩行者の歩行動作を検出するようにしたので、従来技術のように歩行者の歩行姿勢を検出するために各種のセンサを設けなくて済み、従来技術に比してコストアップや装置の大型化を回避又は抑制することができる。
【００１３】
なお、前記区分部は、請求項２に記載の発明のように、より詳細には、一方の足の踵が歩行面に着地してからその踵が次に前記歩行面に着地するまでの期間を１単位とする前記歩行者の歩行周期を設定し且つその１歩行周期を前記歩行パラメータについて予め定められた条件に基づいて複数の歩行相に分割した場合に、前記各撮影画像がどの歩行相の歩行動作を撮像したものであるかを、当該撮影画像について算出されたパラメータ値に基づいてそれぞれ検出し、該検出結果を用いて前記各撮影画像を歩行相ごとに区分する処理を行うとよい。
【００１４】
請求項３に記載の発明は、請求項１又は２に記載の歩行状態表示装置において、前記予め定められた部位は、前記歩行者の外果を含み、前記座標系は、前記歩行者の歩行方向に延びる軸を座標軸として持つものであり、前記複数の歩行相は、時間的に連続して得られた２つの撮影画像の前記外果に装着された各マークに着目した場合に、前記各マークの前記歩行方向における各座標同士の差分が１歩行周期内で最初に所定範囲内となる歩行相である初期接地を含むものである。
【００１５】
この発明によれば、初期接地を表した撮影画像を検出することができる。
【００１６】
請求項４に記載の発明は、請求項１又は２に記載の歩行状態表示装置において、前記予め定められた部位は、前記歩行者の外果及び爪先を含み、前記座標系は、鉛直方向に延びる軸を座標軸として持つものであり、前記複数の歩行相は、同一の撮影画像の前記外果に装着されたマークと前記爪先に装着されたマークとについての前記鉛直方向における各座標同士の差分が１歩行周期内で最初に所定範囲内となる荷重応答期を含むものである。
【００１７】
この発明によれば、荷重応答期を表した撮影画像を検出することができる。
【００１８】
請求項５に記載の発明は、請求項１又は２に記載の歩行状態表示装置において、前記予め定められた部位は、前記歩行者の大転子及び膝を含み、前記座標系は、前記歩行者の歩行方向に延びる軸を座標軸として持つものであり、前記複数の歩行相は、同一の撮影画像の前記大転子に装着されたマークと前記膝に装着されたマークとについての前記歩行方向における各座標同士の差分が１歩行周期内で零となる立脚中期を含むものである。
【００１９】
この発明によれば、立脚中期を表した撮影画像を検出することができる。
【００２０】
請求項６に記載の発明は、請求項１又は２に記載の歩行状態表示装置において、前記予め定められた部位は、前記歩行者の大転子及び膝を含み、前記座標系は、前記歩行者の歩行方向に延びる軸を座標軸として持つものであり、前記複数の歩行相は、同一の撮影画像の前記大転子に装着されたマークと前記膝に装着されたマークとについての前記歩行方向における各座標同士との差分が１歩行周期内で最大となる立脚終期を含むものである。
【００２１】
この発明によれば、立脚終期を表した撮影画像を検出することができる。
【００２２】
請求項７に記載の発明は、請求項１又は２に記載の歩行状態表示装置において、前記予め定められた部位は、前記歩行者の膝、外果及び爪先を含み、前記複数の歩行相は、同一の撮影画像において、前記外果に装着されたマークと前記爪先に装着されたマークとを結ぶ線分と、前記外果に装着されたマークと前記膝に装着されたマークとを結ぶ線分とを設定した場合に、それらの線分の交差角度である足関節角度が１歩行周期内で最大となる前遊脚期を含むものである。
【００２３】
この発明によれば、前遊脚期を表した撮影画像を検出することができる。
【００２４】
請求項８に記載の発明は、請求項１又は２に記載の歩行状態表示装置において、前記予め定められた部位は、前記歩行者の大転子、膝及び外果を含み、前記複数の歩行相は、同一の撮影画像において、前記膝に装着されたマークと前記外果に装着されたマークとを結ぶ線分と、前記膝に装着されたマークと前記大転子に装着されたマークとを結ぶ線分とを設定した場合に、それらの線分の交差角度である膝関節角度が１歩行周期内で最小となる遊脚初期を含むものである。
【００２５】
この発明によれば、遊脚初期を表した撮影画像を検出することができる。
【００２６】
請求項９に記載の発明は、請求項１又は２に記載の歩行状態表示装置において、前記予め定められた部位は、前記歩行者の肩峰、大転子及び膝を含み、前記複数の歩行相は、同一の撮影画像において、前記大転子に装着されたマークと前記膝に装着されたマークとを結ぶ線分と、前記大転子に装着されたマークと前記肩峰に装着されたマークとを結ぶ線分とを設定した場合に、それらの線分の交差角度である股関節角度が１歩行周期内で最小となる遊脚中期を含むものである。
【００２７】
この発明によれば、遊脚中期を表した撮影画像を検出することができる。
【００２８】
請求項１０に記載の発明は、請求項１又は２に記載の歩行状態表示装置において、前記予め定められた部位は、前記歩行者の大転子及び外果を含み、前記座標系は、前記歩行者の歩行方向に延びる軸を座標軸として持つものであり、前記複数の歩行相は、同一の撮影画像の前記大転子に装着されたマークと前記外果に装着されたマークとについての前記歩行方向における各座標同士の差分が１歩行周期内で最大となる遊脚終期を含むものである。
【００２９】
この発明によれば、遊脚終期を表した撮影画像を検出することができる。
【００３０】
請求項１１に記載の発明は、請求項１乃至１０の何れかに記載の歩行状態表示装置において、前記表示部に表示させる対象の撮影画像を前記歩行相ごとに選択する入力を行うための第１入力操作部を更に備え、前記表示部は、前記第１入力操作部により選択された歩行相の撮影画像を表示するものである。
【００３１】
この発明によれば、前記表示部に表示させる対象の撮影画像を前記歩行相ごとに選択する入力を行うための第１入力操作部を備え、前記表示部は、前記第１入力操作部により選択された歩行相の撮影画像を表示するようにしたので、指導者等は、歩行相ごとに歩行者の歩行動作を分析することができる。
【００３２】
請求項１２に記載の発明は、請求項１乃至１１の何れかに記載の歩行状態表示装置において、前記歩行相ごとに予め設けられた、理想のパラメータ値を有する理想画像を記憶する理想画像記憶部を更に備え、前記表示部は、更に、前記撮影画像と、該撮影画像と歩行相が一致する理想画像とを併せて表示する機能を有するものである。
【００３３】
この発明によれば、前記歩行相ごとに予め設けられた、理想のパラメータ値を有する理想画像を記憶する理想画像記憶部を更に備え、前記表示部は、更に、前記撮影画像と、該撮影画像と歩行相が一致する理想画像とを併せて表示する機能を備えたので、指導者等は、歩行相ごとに歩行者の歩行動作を分析することができるとともに、歩行者の歩行動作が理想の歩行動作とどの程度異なるのかを指導者等に簡単に認識させることが可能となる。
【００３４】
請求項１３に記載の発明は、請求項１乃至１２の何れかに記載の歩行状態表示装置において、年齢と歩行相との組み合わせに基づいて予め設定された、前記歩行パラメータについての標準値を記憶する標準値記憶部を更に備え、前記表示部は、更に、前記算出部により導出されたパラメータ値と前記標準値とをグラフで表示する機能を有するものである。
【００３５】
この発明によれば、前記算出部により算出された歩行パラメータのパラメータ値と前記標準値とをグラフで表示する機能を備えたので、指導者等は、歩行者の歩行動作を標準値と照らし合わせて分析することができる。
【００３６】
請求項１４に記載の発明は、請求項１乃至１３の何れかに記載の歩行状態表示装置において、前記表示部に表示されている撮影画像の中から１枚の撮影画像を選択する入力を行うための第２入力操作部を更に備え、前記表示部は、更に、前記第２入力操作部により１枚の撮影画像が選択されると、その撮影画像の撮影タイミングを含む一定期間内の撮像動作で得られた複数の撮影画像を同一画面に表示する機能を有するものである。
【００３７】
この発明によれば、前記第２入力操作部により１枚の撮影画像が選択されると、その撮影画像の撮影タイミングを含む一定期間内の撮像動作で得られた複数の撮影画像を同一画面に表示する機能を備えたので、指導者等は、歩行者の歩行動作を詳細に分析することができる。
【発明の効果】
【００３８】
本発明によれば、従来技術に比してコストアップや装置の大型化を回避又は抑制しつつ、歩行者の歩行動作を詳細に分析することができる。
【図面の簡単な説明】
【００３９】
【図１】本発明に係る歩行状態表示装置の電気的な構成を示すブロック図である。
【図２】歩行者による歩行動作の撮影状況を示す図である。
【図３】（ａ）〜（ｇ）は、肩峰、大転子、膝、外果、爪先の位置及び各歩行パラメータの説明図である。
【図４】（ａ）は、二歩行周期分の各撮影画像について求められる、当該撮影画像及び当該撮影画像より１つ前に撮影された撮影画像における外果のＸ座標同士の差分を示す図、（ｂ）は、（ａ）の矢印Ｐ１で示す時点で撮影された初期接地の撮影画像を示した図である。
【図５】（ａ）は、二歩行周期分の各撮影画像について求められる、当該撮影画像における外果及び爪先の各Ｙ座標同士の差分を示す図、（ｂ）は、（ａ）の矢印Ｐ２，Ｐ３で示す時点で撮影された荷重応答期の撮影画像を示した図である。
【図６】（ａ）は、二歩行周期分の各撮影画像について求められる、当該撮影画像における大転子及び膝のＸ座標同士の差分を示す図、（ｂ）は、（ａ）の矢印Ｐ４，Ｐ５で示す時点で撮影された立脚中期の撮影画像を示した図である。
【図７】（ａ）は、二歩行周期分の撮影画像について求められる、当該撮影画像における大転子及び膝のＸ座標同士の差分を示す図、（ｂ）は、（ａ）の矢印Ｐ６，Ｐ７で示す時点で撮影された立脚終期の撮影画像を示した図である。
【図８】（ａ）は、二歩行周期分の撮影画像について求められる、当該撮影画像における足関節角度αを示す図、（ｂ）は、（ａ）の矢印Ｐ８，Ｐ９で示す時点で撮影された前遊脚期の撮影画像を示した図である。
【図９】（ａ）は、二歩行周期分の撮影画像について求められる、当該撮影画像における膝関節角度βを示す図、（ｂ）は、（ａ）の矢印Ｐ１０，Ｐ１１で示す時点で撮影された遊脚初期の撮影画像を示した図である。
【図１０】（ａ）は、二歩行周期分の撮影画像について求められる、当該撮影画像における股関節角度φを示す図、（ｂ）は、（ａ）の矢印Ｐ１２，Ｐ１３で示す時点で撮影された遊脚中期の撮影画像を示した図である。
【図１１】（ａ）は、二歩行周期分の撮影画像について求められる、当該撮影画像における大転子及び外果のＸ座標同士の差分を示す図、（ｂ）は、図１１（ａ）の矢印Ｐ１４，Ｐ１５で示す時点で撮影された遊脚終期の撮影画像を示した図である。
【図１２】撮影画像と、該撮影画像が示す歩行相についての理想画像とを並べて表示した表示画面を示す図である。
【図１３】算出した歩行者の歩幅を表示する表示画面の一例を示す図である。
【図１４】特定の撮影画像が１枚指定された場合に、その画像の撮影タイミングを含む一定期間内に撮像された複数の撮影画像を並べて表示した画面を示す図である。
【図１５】外果に装着されたマークと爪先に装着されたマークとの識別方法の説明図である。
【図１６】（ａ）は、股関節角度を示す図、（ｂ）は、膝関節角度を示す図、（ｃ）は、足関節角度を示す図である。
【図１７】画像処理部及び抽出部により行われる処理の説明図である。
【発明を実施するための形態】
【００４０】
以下、本発明に係る歩行状態表示装置の実施形態について説明する。図１は、本発明に係る歩行状態表示装置の構成を示すブロック図である。
【００４１】
図１に示すように、歩行状態表示装置１は、マーク２と、撮像部３と、座標抽出部４と、区分部５と、表示部６とを有する。マーク２は、図２に示すように、被験者である歩行者Ｍの身体のうち肩峰、大転子、膝、外果、爪先に装着される。歩行者Ｍは、肩峰、大転子、膝、外果、爪先にそれぞれマーク２を装着した状態で、予め定められた歩行領域Ｓ内を一定方向（矢印Ｘで示す方向）に歩行する。
【００４２】
撮像部３は、例えばＲ（赤）、Ｇ（緑）、Ｂ（赤）のカラーフィルタが１：２：１の割合でベイヤー配列されてなるＣＣＤ（Charge Coupled Device）を備えてなる。撮像部３は、光軸の方向及び撮像範囲が一定とされており、前記歩行領域Ｓ内を一定方向に歩行する歩行者Ｍの歩行期間中、歩行者Ｍの身体の少なくとも前記マーク２が装着されている肩峰、大転子、膝、外果、爪先の部分を含む範囲の光像を繰り返し（例えば一定の周期で）撮像する。
【００４３】
なお、光を出力する発光部を撮像部３に設けるとともに、その発光部から出力される光を反射する反射部をマーク２に備えると、マーク２の画像が全体画像の中で相対的に輝度の大きな画像として出現することとなるから、歩行状態表示装置１は、全体画像の中でマーク２の画像とそれ以外の画像とを明確に識別することができる。
【００４４】
図１に示すように、撮像部３は、画像処理部３１を備える。画像処理部３１は、図１７に示すように、各画素から出力される画素情報から構成される画像（ベイヤ画像）に対しカラー変換処理を行う。カラー変換処理は、各画素から当該画素に配設されたカラーフィルタの色についての画素情報しか得られていないベイヤー画像から、各画素の位置において、Ｒ（赤）、Ｇ（緑）、Ｂ（青）の３色の色の画素情報をそれぞれ有する画像に変換する処理である。例えば、画像処理部３１は、「Ｒ」のカラーフィルタが配設された画素の位置における「Ｇ（緑）」の色の画素情報を、その画素の周囲に位置するＧ（緑）の画素から得られる画素情報を用いて平均演算や重み演算により算出する。
【００４５】
また、画像処理部３１は、このカラー変換処理後の画像におけるノイズの除去も行う。前記カラー変換処理及びノイズ除去処理後の画像をカラー画像という。撮像部３は、このカラー画像を記憶する図略の記憶部を有し、表示部６に該カラー画像を表示する必要が生じたときに、前記記憶部に格納されているカラー画像を表示部６に出力する。
【００４６】
次に、画像処理部３１は、前記カラー画像に対して赤み除去処理及びグレー変換処理を行う。赤み除去処理は、Ｒ（赤）、Ｇ（緑）、Ｂ（青）の各色成分のうち、マーク２と誤認識する可能性のある歩行者の肌の赤み（Ｒ）を除去する処理であり、１つの画素におけるＲＧＢの画像情報をＲ，Ｇ，Ｂと表すものとしたとき、Ｒ＞（（Ｇ＋Ｂ）／２＋α）を演算する処理である。なお、「α」は、画像の赤みの程度に応じて設定し、誤認識しない程度まで赤み除去を行うためのパラメータである。グレー変換処理は、前記赤み除去処理後の画像から、各画素にカラーフィルタが配設されなかった場合に得られるものと想定される画像（以下、第１グレー画像という）を生成する処理である。
【００４７】
一方、撮像部３は、歩行動作（マーク２）の撮影動作とは別に、歩行者Ｍが撮像範囲内に存在しない状態で撮影動作を行う。この撮影動作で得られた画像を背景画像という。この時点の背景画像は、各画素から当該画素に配設されたカラーフィルタの色についての画素情報しか得られていないベイヤー画像となっている。画像処理部３１は、この背景画像についてＧ（緑）成分のみを抽出し、各画素にカラーフィルタが配設されなかった場合に得られるものと想定される画像（以下、第２グレー画像という）を生成するグレー変換処理を行う。
【００４８】
画像処理部３１は、前記第１グレー画像と第２グレー画像を生成すると、前記第１グレー画像と第２グレー画像とを後段の抽出部４１に出力する。なお、以下の説明においては、撮像部３から表示部６に出力される画像及び座標抽出部４に出力される画像を合わせて撮影画像というものとする。
【００４９】
座標抽出部４は、前記撮影画像（前記第１グレー画像）ごとに前記マーク２をそれぞれ抽出する抽出部４１と、前記抽出部４１により抽出された各マーク２の位置を、予め定められた共通の２次元座標系の座標で表す座標設定部４２と、前記座標設定部４２により設定された各マーク２についての座標を用いて、歩行動作を表す（表現する）ための予め定められた歩行パラメータについてのパラメータ値を撮影画像ごとに算出する算出部４３とを備える。
【００５０】
図１７に示すように、抽出部４１は、前記画像処理部３１から前記第１グレー画像及び第２グレー画像を取得すると、前記第１グレー画像と第２グレー画像との差分をとった背景差分画像を生成する。また、抽出部４１は、生成した背景差分画像を画素毎に２値化した後、差分が所定の閾値以上となっている画素を抽出するラベリングを行う。
【００５１】
さらに、抽出部４１は、所定の閾値以上の差分を有する画素が連続する領域のうち、面積Ｓが予め定められた一定範囲内（Ｓα＜Ｓ＜Ｓβ）となっている領域をマーク２の画像領域として抽出し、それぞれ抽出した領域の中心点（又は重心）をマーク２の位置と設定する。
【００５２】
座標設定部４２は、歩行開始直前の歩行者の例えば外果の位置を原点とし、歩行者の進行方向をＸ軸、鉛直方向をＹ軸とする２次元座標系を設定するとともに、抽出部４１により求められた中心点の座標をマーク２の位置を表す座標として設定するものである。
【００５３】
算出部４３は、各マーク２が歩行者のどの部位（肩峰、大転子、膝、外果、爪先）に装着されたものであるかの識別を次のように行う。
【００５４】
まず、算出部４３は、Ｙ座標が大きいマーク２から順に、その装着位置が肩峰、大転子、膝、外果、爪先であると仮に割り当てる。次に、算出部４３は、肩峰に装着されたマーク２と大転子に装着されたマーク２と膝に装着されたマーク２とその他の部位（外果及び爪先）に装着されたマーク２との識別については、歩行中における肩峰の高さ位置、大転子の高さ位置、膝の高さ位置及びその他（外果及び爪先）の高さ位置との大小関係は、１歩行周期中のどの時点でも一定であり、Ｙ座標のみで識別可能である。
【００５５】
したがって、この点を利用して、肩峰に装着されたマーク２の画像と大転子に装着されたマーク２の画像と膝に装着されたマーク２の画像とを確定する。すなわち、算出部４３は、Ｙ座標が最も大きいマーク２を、肩峰に装着されたマーク２であると確定し、その次にＹ座標が大きいマーク２を、大転子に装着されたマーク２であると確定し、その次にＹ座標が大きいマーク２を、膝に装着されたマーク２であると確定する。
【００５６】
また、算出部４３は、外果に装着されたマーク２と爪先に装着されたマーク２との識別については、次のように行う。算出部４３は、図１５（ａ）に示すように、外果・膝・爪先にそれぞれ装着された各マーク２の位置を点Ａ，Ｂ，Ｃとし、点Ａを始点、点Ｂを終点とするベクトルＡＢと、点Ａを始点、点Ｃを終点とするベクトルＡＣとを生成する。
【００５７】
次に、算出部４３は、ベクトルＡＢとベクトルＡＣとの外積を算出する。すなわち、ベクトルＡＢ＝（Ｘ１，Ｙ１），ベクトルＡＣ＝（Ｘ２，Ｙ２）と表すものとすると、算出部４３は、ベクトルＡＢとベクトルＡＣとの外積ＡＢ×ＡＣを
ＡＢ×ＡＣ＝Ｘ１×Ｙ２−Ｘ２×Ｙ１・・・（１）
により算出する。
【００５８】
一方、図１５（ａ）に示すように、ベクトルＡＣを基準としたベクトルＡＢまでの角度をθと表し、ベクトルＡＢ、ベクトルＡＣを単にＡＢ，ＡＣと表すものとすると、外積ＡＢ×ＡＣは、
ＡＢ×ＡＣ＝|ＡＢ||ＡＣ|sinθ    ・・・（２）
とも表すことができる。なお、|ＡＢ|は、ベクトルＡＢの長さ（スカラー量）、|ＡＣ|は、ベクトルＡＣの長さ（スカラー量）である。
【００５９】
ここで、前記式（２）によって算出した外積の値が負の値になったときには、図１５（ｂ）に示すように、角度θが負の値であり、膝・外果・爪先の位置関係が図１５（ｂ）に示す位置関係となることを示すが、人間の身体の構造上、このような状態になることは無い。すなわち、この場合、外果・膝・爪先の位置に係る先の仮割当てが正解でないことを示している。
【００６０】
算出部４３は、これを用い、算出した前記ベクトルＡＢとベクトルＡＣとの外積の値が正の値となったか否かを判断し、前記外積の値が正の値であるときには、図１５（ａ）に示すように、Ｙ座標が大きい方のマーク２が外果に装着されたマーク２であり、Ｙ座標が小さい方のマークが爪先に装着されたマーク２であると判断する。すなわち、算出部４３は、先に仮定した前述の割り当て内容（Ｙ座標が大きいマーク２から順に、マーク２の装着位置が肩峰、大転子、膝、外果、爪先であるとの内容）が正しいと判断する。
【００６１】
一方、算出部４３は、前記外積の値が負の値であると判断したときには、図１５（ｂ）に示すように、Ｙ座標が大きいマーク２から順に、その装着位置が肩峰、大転子、膝、外果、爪先であると設定した先の仮割当ては誤りであり、図１５（ｃ）に示すように、Ｙ座標が大きい方のマーク２が爪先に装着されたマーク２、Ｙ座標が小さい方のマークが外果に装着されたマーク２であると判断する。
【００６２】
以上の処理により、算出部４３は、５つのマーク２の装着位置を特定する。そして、算出部４３は、この５つのマーク２の装着位置を特定する処理を、撮像部３から得られた複数の撮影画像のそれぞれについて実施し、その処理結果を区分部５に出力する。
【００６３】
ところで、歩行者の歩行動作は、該歩行者の身体の部位のうちの２つの特定部位間の距離、或いは、後述する股関節角度、足関節角度、膝関節角度など歩行動作を表すための複数種類の歩行パラメータを設定した場合、そのパラメータ値が周期的に変化する。その変化の周期は、一方の足の踵が歩行面に着地してからその踵が次に前記歩行面に着地するまでの期間を１単位とする周期である。そして、その１歩行周期は、いずれかの歩行パラメータにおいて特徴的なパラメータ値をもつ複数の区間（歩行相）に分割することができる。
【００６４】
本実施形態では、このように１歩行周期を複数の歩行相に分割した場合に、前記各撮影画像がどの歩行相を撮像したものであるかを、当該撮影画像が示す各歩行パラメータのパラメータ値に基づいてそれぞれ検出し、該検出結果を用いて前記各撮影画像を歩行相ごとに区分するようにしている。各撮影画像がどの歩行相を撮像したものであるかを検出するためのパラメータ値は、前記各撮影画像におけるマーク２の座標によって検出することができる。前記複数の歩行相とは、以下に説明する、初期接地、荷重応答期、立脚中期、立脚終期、前遊脚期、遊脚初期、遊脚中期及び遊脚終期である。
【００６５】
区分部５は、前記各撮影画像が示す各歩行パラメータのパラメータ値を算出するとともに、前記各歩行パラメータのパラメータ値について予め定められた条件（特徴点）に基づき１歩行周期を複数の歩行相に分割した場合に、前記各撮影画像がどの歩行相を撮像したものであるかを、当該撮影画像について算出した前記パラメータ値に基づいてそれぞれ検出し、該検出結果を用いて前記各撮影画像を歩行相ごとに区分するものである。
【００６６】
図３（ａ）〜（ｇ）は、肩峰、大転子、膝、外果、爪先の位置及び各歩行パラメータの説明図である。なお、以下の説明においては、歩行者の身体の各部位（肩峰、大転子、膝、外果、爪先）に装着されたマークＭの座標を前記各部位の座標と表現するものとする。
【００６７】
図４〜図１１は、撮像部３の撮影範囲が４歩分の長さ（二歩行周期分の長さ）を持ち、撮像部３が４歩行分の歩行動作を所定の時間間隔で撮影したことにより得られた６０枚の各撮影画像が示す各歩行パラメータのパラメータ値の変化を示すグラフと、各歩行相の歩行姿勢を示す撮影画像とを示している。なお、二歩行周期においては、前記初期接地を除く各歩行相は２回ずつ発生する（初期接地は１回のみ）。
【００６８】
図４（ａ）は、前記二歩行周期分の各撮影画像に対して撮影タイミングの順番に割り付けられた識別番号１〜５９を横軸とした場合に、各撮影画像について求められる、当該撮影画像及び当該撮影画像より１つ前に撮影された撮影画像における外果のＸ座標同士の差分（縦軸）を示す図である。この差分は前記歩行パラメータの１つである。
【００６９】
初期接地は、図４（ａ）に示すように、当該撮影画像及び当該撮影画像より１つ前に撮影された撮影画像における外果のＸ座標同士の差分が所定の範囲内となる最初の時点（例えば矢印Ｐ１で示す時点）である。前記所定の範囲は、例えば測定を実施する前に予め歩行画像を撮像し、その撮影画像における初期接地時のＸ座標同士の差分をとることで得られる。また、前記所定の範囲は、着地時の衝撃の強さに影響を受けるが、通常の歩行動作の場合は、それほど大きな範囲に設定する必要はなく、数画素分の幅に相当する長さを許容誤差分として設定するとよい。図４（ｂ）は、図４（ａ）の矢印Ｐ１で示す時点で撮影された撮影画像（初期接地を示す撮影画像）を示している。
【００７０】
図５（ａ）は、前記二歩行周期分の各撮影画像の識別番号１〜５９を横軸とした場合に、各撮影画像について求められる、当該撮影画像における外果と爪先とのＹ座標同士の差分（図３（ｂ）のΔＹ；縦軸）を示す図である。この差分も歩行パラメータの１つである。
【００７１】
荷重応答期は、図５（ａ）に示すように、各撮影画像における外果及び爪先のＹ座標同士の差分ΔＹが所定の範囲内となった最初の時点（例えば矢印Ｐ２や矢印Ｐ３で示す時点）である。前記所定の範囲は、例えば測定を実施する前に予め歩行画像を撮像し、その撮影画像における外果と爪先とのＹ座標同士の差分をとることで得られる。荷重応答期においては、通常、外果及び爪先のＹ座標同士の差分ΔＹが零となり得るので容易に判定することができるが、例外的に、マーカ２が着地の衝撃により振動していることがあり、このとき、その差分ΔＹが零から若干ずれることとなるため、これを考慮し、数画素分の幅に相当する長さを許容誤差分として設定してもよい。図５（ｂ）は、図５（ａ）の矢印Ｐ２，Ｐ３で示す時点で撮影された撮影画像（荷重応答期を示す撮影画像）を示している。
【００７２】
図６（ａ）は、前記二歩行周期分の各撮影画像の識別番号１〜５９を横軸とした場合に、各撮影画像について求められる、当該撮影画像における大転子及び膝のＸ座標同士の差分（図３（ｃ）のΔＸ；縦軸）を示す図である。この差分も歩行パラメータの１つである。
【００７３】
立脚中期は、股関節が進展中の歩行相であり、図６（ａ）の例えば矢印Ｐ４や矢印Ｐ５で示すように、大転子及び膝のＸ座標同士の差分ΔＸが略零となる時点又は前記差分ΔＸが最も零に近似する時点である。図６（ｂ）は、図６（ａ）の矢印Ｐ４，Ｐ５で示す時点で撮影された撮影画像（立脚中期を示す撮影画像）を示している。
【００７４】
図７（ａ）は、前記二歩行周期分の各撮影画像の識別番号１〜５９を横軸とした場合に、各撮影画像について求められる、当該撮影画像における大転子及び膝のＸ座標同士の差分（図３（ｃ）のΔＸ；縦軸）を示す図である。
【００７５】
立脚終期は、図７（ａ）の例えば矢印Ｐ６や矢印Ｐ７で示すように、大転子及び膝のＸ座標同士の差分ΔＸが最大となる時点である。図７（ｂ）は、図７（ａ）の矢印Ｐ６，Ｐ７で示す時点で撮影された撮影画像（立脚終期を示す撮影画像）を示している。
【００７６】
なお、立脚終期は、大転子及び膝のＸ座標同士の差分ΔＸだけでなく、股関節角度が最大となる歩行相でもあるから、この股関節角度に基づいて当該撮影画像が立脚終期を示す撮影画像を表しているのか否かを判断することができる。なお、股関節角度の算出方法については後述する。
【００７７】
図８（ａ）は、前記二歩行周期分の各撮影画像の識別番号１〜５９を横軸とした場合に、各撮影画像について求められる、当該撮影画像における足関節角度α（図３（ｄ）参照；縦軸）を示す図である。この足関節角度αも歩行パラメータの１つである。
【００７８】
前遊脚期は、図８（ａ）の例えば矢印Ｐ８や矢印Ｐ９で示すように、前記足関節角度αが最大となる時点である。図８（ｂ）は、図８（ａ）の矢印Ｐ８，Ｐ９で示す時点で撮影された撮影画像（前遊脚期を示す撮影画像）を示している。
【００７９】
図９（ａ）は、前記二歩行周期分の各撮影画像の識別番号１〜５９を横軸とした場合に、各撮影画像について求められる、当該撮影画像における膝関節角度β（図３（ｅ）参照；縦軸）を示す図である。この膝関節角度βも歩行パラメータの１つである。
【００８０】
遊脚初期は、図９（ａ）の矢印Ｐ１０や矢印Ｐ１１で示すように、前記膝関節角度βが最小となる時点である。図９（ｂ）は、図９（ａ）の矢印Ｐ１０，Ｐ１１で示す時点で撮影された撮影画像（遊脚初期を示す撮影画像）を示している。
【００８１】
図１０（ａ）は、前記二歩行周期分の各撮影画像の識別番号１〜５９を横軸とした場合に、各撮影画像について求められる、当該撮影画像における股関節角度φ（図３（ｅ）参照；縦軸）を示す図である。この股関節角度φも歩行パラメータの１つである。
【００８２】
遊脚中期は、図１０（ａ）の例えば矢印Ｐ１２や矢印Ｐ１３で示すように、股関節角度φが最小となる時点である。図１０（ｂ）は、図１０（ａ）の矢印Ｐ１２，Ｐ１３で示す時点で撮影された撮影画像（遊脚中期を示す撮影画像）を示している。
【００８３】
図１１（ａ）は、前記二歩行周期分の各撮影画像の識別番号１〜５９を横軸とした場合に、各撮影画像について求められる、当該撮影画像における大転子及び外果のＸ座標同士の差分Δｗ（図３（ｇ）参照；縦軸）を示す図である。この差分Δｗも歩行パラメータの１つである。
【００８４】
ここで、股関節角度φ、足関節角度α及び膝関節角度βの各関節角度の算出方法について説明する。前記各関節角度の算出は前記算出部４３により算出される。
【００８５】
股関節角度φは、図１６（ａ）に示すように、前記大転子に装着されたマーク２と前記膝に装着されたマーク２とを結ぶ線分と、前記大転子に装着されたマーク２と前記肩峰に装着されたマーク２とを結ぶ線分とを設定した場合に、それらの線分の交差角度である。
【００８６】
算出部４３は、大転子・肩峰・膝にそれぞれ装着された各マーク２の位置を点Ｏ，Ｐ，Ｑとし、点Ｏを始点、点Ｐを終点とするベクトルＯＰと、点Ｏを始点、点Ｑを終点とするベクトルＯＱとを生成する。
【００８７】
次に、算出部４３は、ベクトルＯＰとベクトルＯＱとの内積を算出する。すなわち、ベクトルＯＰ＝（Ｘ３，Ｙ３），ベクトルＯＱ＝（Ｘ４，Ｙ４）と表すものとすると、算出部４３は、ベクトルＯＰとベクトルＯＱとの内積ＯＰ×ＯＱを
ＯＰ×ＯＱ＝Ｘ３×Ｘ４＋Ｙ３×Ｙ４    ・・・（３）
により算出する。
【００８８】
一方、ベクトルＯＰとベクトルＯＱとのなす角度のうち小さい方の角度をφと表し、ベクトルＯＰ、ベクトルＯＱを単にＯＰ，ＯＱと表すものとすると、内積ＯＰ×ＯＱは、
ＯＰ×ＯＱ＝|ＯＰ||ＯＱ|cosφ    ・・・（４）
とも表すことができる。なお、|ＯＰ|は、ベクトルＯＰの長さ（スカラー量）、|ＯＱ|は、ベクトルＯＱの長さ（スカラー量）である。
【００８９】
算出部４３は、前記式（３），（４）に基づき、
Ｘ３×Ｘ４＋Ｙ３×Ｙ４＝|ＯＰ||ＯＱ|cosφ
が成立し、
φ＝cos-1｛（Ｘ３×Ｘ４＋Ｙ３×Ｙ４）／|ＯＰ||ＯＱ|｝
により角度φを算出する。
【００９０】
足関節角度αは、図１６（ｂ）に示すように、前記外果に装着されたマーク２と前記爪先に装着されたマーク２とを結ぶ線分と、前記外果に装着されたマーク２と前記膝に装着されたマーク２とを結ぶ線分とを設定した場合に、それらの線分の交差角度であり、股関節角度φの算出方法と同様の算出方法により算出することができる。
【００９１】
すなわち、前記股関節角度φの算出方法における「大転子に装着されたマーク２」を「外果に装着されたマーク２」に置換し、「膝に装着されたマーク２」を「爪先に装着されたマーク２」に置換し、「肩峰に装着されたマーク２」を「膝に装着されたマーク２」に置換した上で、前記股関節角度φの算出方法と同様にベクトル（外果の位置を始点とする２つのベクトル）を設定し、それらのベクトルの内積を利用することで算出することができる。
【００９２】
膝関節角度βは、図１６（ｃ）に示すように、前記膝に装着されたマーク２と前記外果に装着されたマーク２とを結ぶ線分と、前記膝に装着されたマーク２と前記大転子に装着されたマーク２とを結ぶ線分とを設定した場合に、それらの線分の交差角度であり、股関節角度φや足関節角度αの算出方法と同様の算出方法により算出することができる。
【００９３】
すなわち、前記股関節角度φの算出方法における「大転子に装着されたマーク２」を「膝に装着されたマーク２」に置換し、「膝に装着されたマーク２」を「外果に装着されたマーク２」に置換し、「肩峰に装着されたマーク２」を「大転子に装着されたマーク２」に置換した上で、前記股関節角度φの算出方法と同様にベクトル（膝の位置を始点とする２つのベクトル）を設定し、それらのベクトルの内積を利用することで算出することができる。
【００９４】
図１１（ａ）は、前記二歩行周期分の各撮影画像の識別番号１〜５９を横軸とした場合に、各撮影画像について求められる、当該撮影画像における大転子及び外果のＸ座標同士の差分Δｗ（図３（ｇ）参照；縦軸）を示す図である。この差分も歩行パラメータの１つである。
【００９５】
遊脚終期は、図１１（ａ）の矢印Ｐ１４や矢印Ｐ１５で示すように、当該撮影画像における大転子及び外果のＸ座標同士の差分Δｗが最大となる時点である。図１１（ｂ）は、図１１（ａ）の矢印Ｐ１４，Ｐ１５で示す時点で撮影された撮影画像（遊脚終期を示す撮影画像）を示している。
【００９６】
区分部５は、以上のような各歩行相における特徴点（前記各歩行パラメータのパラメータ値）に基づいて、前記各撮影画像を歩行相ごとに区分する。すなわち、区分部５は、例えば、或る撮影画像における外果及び爪先のＹ座標同士の差分ΔＹが前記所定の範囲内となったときには、その撮影画像は荷重応答期を示した撮影画像であると判断するという処理を各撮影画像について実施する。そして、区分部５は、各撮影画像がどの歩行相の歩行姿勢を撮像したものであるか（歩行相の種類）に応じてそれらの撮影画像を区分する。
【００９７】
表示部６は、区分部５により歩行相の種類別にそれぞれ区分された撮影画像のうち、図略の入力操作部（前記第１入力操作部に相当）により指定された歩行相を示す撮影画像を表示する。例えば、入力操作部により荷重応答期を示した撮影画像を表示部６に表示する指示が入力された場合に、荷重応答期を示した撮影画像が５枚存在するときには、表示部６は、この５枚の撮影画像を例えば映像（動画像）として表示したり、５枚の静止画として並べて表示したりする。
【００９８】
以上のように、本実施形態では、各撮影画像がどの歩行相を撮像したものであるかを、当該撮影画像について算出されたパラメータ値（前記差分ΔＸ，ΔＹ，α，βなど）に基づいてそれぞれ検出し、該検出結果を用いて前記各撮影画像を歩行相ごとに区分するとともに、前記入力操作部により歩行相が指定されると、その歩行相を示す撮影画像を表示するようにしたので、歩行者の歩行動作を歩行相ごとに詳細に分析することができる。
【００９９】
また、撮影画像における各マーク２の位置（座標）を用いて、当該撮影画像が示す歩行相を検出するようにしたので、従来技術のように歩行者の姿勢を検出するための各種のセンサを設けなくて済み、従来技術に比してコストアップや装置の大型化を回避又は抑制することができる。
【０１００】
本件は、前記実施形態に代えて、或いは前記実施形態に加えて次のような変形形態も採用可能である。
【０１０１】
［１］各歩行相における理想的な歩行姿勢を示した画像を理想画像として図略の記憶部に予め記憶しておき、図１２に示すように、撮像部３により撮影画像が得られると、表示部６は、その撮影画像と、該撮影画像が示す歩行相についての理想画像（撮影画像と歩行相が一致する理想画像）とを並べて表示するようにすると、適切な歩行動作を指導する指導者や歩行者等は、該歩行者の歩行動作における改善点を明確に認識することができる。なお、図１２は、立脚周期、前遊脚期及び遊脚初期についての撮影画像と理想画像とを上下に並べて配置した状態で表示した画面を示している。
【０１０２】
［２］歩行者の歩幅を算出する機能を算出部４３に搭載し、表示部６は、算出部４３により算出された歩幅を表示するようにすると、指導者等は、歩行者の歩行動作を歩幅の観点から分析することができる。歩幅は、例えば、当該撮影画像と該撮影画像より１つ前に撮影された撮影画像とにおける外果のＸ座標同士の差分をとることで算出することができる。
【０１０３】
図１３は、歩行者の歩幅の検出結果を表示する表示画面の一例を示す図であり、図１３に示す表示画面においては、歩行者の年齢を横軸、歩幅を縦軸として、各年齢における標準的な歩幅の範囲の上限値を示したグラフＬ１と、各年齢における標準的な歩幅の範囲の下限値を示したグラフＬ２とを示した上で、算出した歩行者の歩幅とその歩行者の年齢との組み合わせに対応する点Ｗを示している。
【０１０４】
これにより、被験者や歩行者は、該歩行者の歩幅が標準的なものか否かとか標準的な範囲に含まれる場合であっても、大きい方の歩幅であるのか小さい方の歩幅であるのかなど、歩行者の歩行動作を歩幅の観点から詳細に分析することができる把握することができる。
【０１０５】
なお、ここでは、歩行者の歩行動作を表すための歩行パラメータの１例として歩幅を挙げ、該歩幅の検出結果と標準値とを表示部６に表示するようにしたが、その表示対象の歩行パラメータは前記歩幅に限定されず、例えば、前述の股関節角度、足関節角度、膝関節角度や歩行速度等の歩行パラメータも採用可能である。なお、歩行速度は、連続して撮影された２枚の撮影画像おける外果のＸ座標同士の差分をとることで算出される前記歩幅を、この２枚の撮影画像の撮影タイミングの時間差で除算することにより算出することができる。
【０１０６】
［３］一連の撮影画像のうち１枚の撮影画像を指定する入力を行うための入力操作部（図示せず；前記第２入力操作部に相当）を備え、該入力操作部により特定の撮影画像が１枚指定される（指定された撮影画像を指定画像という）と、図１４に示すように、表示部６は、その指定画像の撮影タイミングを含む一定期間内に撮像された複数の撮影画像を同一画面に表示する機能を表示部６に搭載するようにしてもよい。
【０１０７】
これにより、撮影画像を１枚しか表示部６に表示できない場合に比して、指導者や歩行者等は、歩行動作の遷移態様などを詳細に把握することができ、歩行者の歩行動作について詳細に分析することができる。なお、図１４においては、指定画像と、該指定画像の直前及び直後にそれぞれ２回ずつ撮影して得られた４枚の撮影画像との５枚の撮影画像が、撮影順に並べて表示された表示画面を示している。
【符号の説明】
【０１０８】
１    歩行状態表示装置
２    マーク
３    撮像部
３１  画像処理部
４    座標抽出部
４１  抽出部
４２  座標設定部
４３  算出部
５    区分部
６    表示部
【図１】
2010172394.tif 000003
【図２】
2010172394.tif 000004
【図３】
2010172394.tif 000005
【図１２】
2010172394.tif 000006
【図１３】
2010172394.tif 000007
【図１４】
2010172394.tif 000008
【図１５】
2010172394.tif 000009
【図１６】
2010172394.tif 000010
【図１７】
2010172394.tif 000011
【図４】
2010172394.tif 000012
【図５】
2010172394.tif 000013
【図６】
2010172394.tif 000014
【図７】
2010172394.tif 000015
【図８】
2010172394.tif 000016
【図９】
2010172394.tif 000017
【図１０】
2010172394.tif 000018
【図１１】
2010172394.tif 000019